(57)【特許請求の範囲】
【請求項１】
制御盤から引出し配線された開閉制御用の操作スイッチ部の操作に基づいて開閉機の開閉駆動を行うように構成してなる建築用電動シャッターにおいて、前記開閉駆動の回数をカウントして表示する表示手段が備えられたカウンタ装置を、前記操作スイッチ部において電気的に接続するにあたり、カウンタ装置は、少なくとも開閉機を駆動させるための操作スイッチに並列接続され、かつ該操作スイッチをＯＮ操作することに伴い開閉機に電源供給するためのリレースイッチが起動しない範囲の微弱電流状態の通電がなされ、リレースイッチの起動状態では通電されないように設定された抵抗手段を介して電気的に接続されている建築用電動シャッターにおける開閉回数カウンタ装置。
【発明の詳細な説明】
【０００１】
【発明の属する技術分野】
本発明は、建築物の出入り口等の開口部に建付けられる建築用電動シャッターにおける開閉回数カウンタ装置の技術分野に属するものである。
【０００２】
【従来の技術】
一般に、この種建築物の開口部に建付けられるシャッターのなかには、開閉機の正逆駆動に基づいてシャッターカーテンが躯体開口部の開閉をするように構成した電動シャッターがあり、このものでは、円滑な開閉作動を維持できるよう、各種部材装置を正常状態に保持管理することが要求され、適時期にメンテナンスをすることが推奨されている。
ところで、これら電動シャッターは、その用途や建付け現場によって使用頻度が異なり、このようなもののメンテナンスをすべて画一的な期間設定をして行うことには問題がある。そこで、メンテナンスの目安としてシャッターカーテンの開閉回数を基準にすることが考えられ、シャッターカーテンの開閉回数をカウントするカウンタ装置を備えたものが知られている。そしてこのようなものとして、操作スイッチのＯＮ操作に伴い開閉機に電源投入されることをカウントするカウンタ装置を設けることが提唱される。しかるにこの場合、カウンタ装置は躯体上部に設けられる制御盤に配されることになるため、カウント値の確認のためにいちいち躯体上部に上らなければならないという問題があった。
これに対し、例えば実開平４−１１０８９８号公報のように、カウンタ装置自体は制御盤に配するものの、カウント値の表示部を開口部側方にある操作スイッチ部に設けるようにしたものや、特開平８−６０９５８号公報、特開平８−６０９５７号公報のように、カウンタ装置をシャッターカーテン最下端の座板に設けるようにしたもの等が知られている。
【０００３】
【発明が解決しようとする課題】
しかるに、前者のものでは、制御盤と操作スイッチ部とのあいだの配線として、開放、停止、閉鎖スイッチ用の配線に加えて、カウンタ装置自体と表示部とのあいだの配線が別途必要となり、このため、汎用性の高い四芯構造の配線コードでは不足で、最低でも五芯の汎用性が低い配線コードが必要で、コスト的に不利になってしまうという問題がある。また、後者のものは、カウンタ装置がシャッターカーテンの最下端にあることから、悪戯により破損され、またリセットされたりカウントアップされたりする等の惧れがあって問題があり、これらに本発明が解決しようとする課題があった。
【０００４】
【課題を解決するための手段】
本発明は、上記の如き実情に鑑み、これらの課題を解決することを目的として創作されたものであって、制御盤から引出し配線された開閉制御用の操作スイッチ部の操作に基づいて開閉機の開閉駆動を行うように構成してなる建築用電動シャッターにおいて、前記開閉駆動の回数をカウントして表示する表示手段が備えられたカウンタ装置を、前記操作スイッチ部において電気的に接続するにあたり、カウンタ装置は、少なくとも開閉機を駆動させるための操作スイッチに並列接続され、かつ該操作スイッチをＯＮ操作することに伴い開閉機に電源供給するためのリレースイッチが起動しない範囲の微弱電流状態の通電がなされ、リレースイッチの起動状態では通電されないように設定された抵抗手段を介して電気的に接続されている建築用電動シャッターにおける開閉回数カウンタ装置である。
これによって、カウンタ装置を操作スイッチ部に設けて、制御盤と操作スイッチ部との配線を、汎用性の高い配線コードを用いて行うことができる。
【０００５】
【発明の実施の形態】
次に、本発明の実施の形態を図面に基づいて説明する。
まず、第一の実施の形態を図１〜図６に示すが、該図面において、１は電動シャッターのシャッターカーテンであって、該シャッターカーテン１は、開口部上方の躯体側に設けられる巻取り軸２に巻装されるが、該巻取りドラム２には開閉機３が連動連結されている。そして、シャッターカーテン１は、開閉機３の正逆駆動に基づく巻取りドラム２の正逆回動により、両端部が左右一対のガイドレール４に案内される状態で開口部を開閉するように構成されており、これらの構成は何れも従来通りとなっている。
【０００６】
５は、シャッターカーテン１の開閉制御をするための操作スイッチ部であって、該操作スイッチ部５は、ここでは開放用スイッチＰＢＵ、停止用スイッチＰＢＳ、閉鎖用スイッチＰＢＤからなる三点押しボタン式になっている。そして、操作スイッチ部５は躯体開口部の側部に設けられるスイッチボックス６に収納されるが、該スイッチボックス６は開閉自在な鍵付の蓋体６ａが設けられており、該蓋体６ａを開放操作してから各操作スイッチＰＢＵ、ＰＢＳ、ＰＢＤのスイッチ操作を行う設定となっている。
【０００７】
一方、７は開閉機３の駆動制御回路であって、該駆動制御回路７は、図４に示すように、交流電源から電動モータＭに至る電源供給経路に開放用リレーＲＹＵおよび閉鎖用リレーＲＹＤの各スイッチ接点を並列状に介在させたモータ駆動回路部８と、交流電源から前記停止用スイッチＰＢＳ（自動復帰型ｂ接点スイッチ）に至る停止作動回路部９と、開放用スイッチＰＢＵ（自動復帰型ａ接点スイッチ）、開放用リレーＲＹＵおよび上限用リミットスイッチＬＳＵとが直列状に接続する開放作動回路部１０と、閉鎖用スイッチＰＢＤ（自動復帰型ａ接点スイッチ）、閉鎖用リレーＲＹＤおよび下限用リミットスイッチＬＳＤとが直列状に接続する閉鎖作動回路部１１とで構成されている。さらに、開放作動回路部１０と閉鎖作動回路部１１において、開放用スイッチＰＢＵと閉鎖用スイッチＰＢＤにはそれぞれ対応する開放用または閉鎖用リレーＲＹＵ、ＲＹＤのａ接点が並列状に接続されており、これによって、開放用スイッチＰＢＵまたは閉鎖用スイッチＰＢＤがスイッチ操作された場合に、対応する作動回路部１０、１１側が自己保持される設定となっている。
【０００８】
そして駆動制御回路７は、交流電源用の端子Ｒ、Ｓ、Ｔから停止作動回路部９の停止用スイッチＰＢＳに至るあいだの端子Ｂ１、開放作動回路部１０の開放用スイッチＰＢＵとモータ駆動回路部８とのあいだの端子Ｂ２、停止作動回路部９に開放作動回路部１０と閉鎖作動回路部１１とが並列状に接続する端子Ｂ３、閉鎖作動回路部１１の閉鎖用スイッチＰＢＤとモータ駆動回路部８とのあいだの端子Ｂ４が、開閉機３近傍の躯体上部に配された制御盤１２にそれぞれ設けられ、該制御盤１２で必要な接続がなされているが、これら制御盤１２に配設される各端子Ｂ１、Ｂ２、Ｂ３、Ｂ４には、四芯構造の配線コードＬとなるリード線Ａ、Ｂ、Ｃ、Ｄが接続され、この配線コードＬが前記スイッチボックス６部位にまで引き回され、そして、該スイッチボックス６内において、各リード線Ａ、Ｂ、Ｃ、Ｄが各スイッチＰＢＵ、ＰＢＳ、ＰＢＤの引出し端子とのあいだで必要な接続がなされるように設定されている。
【０００９】
さて、スイッチボックス６部位において、本発明が実施されたカウンタ装置１３が接続されることになるが、カウンタ装置１３は、本実施の形態においては図３に示すようにリード線Ｃとリード線Ｂとが接続される開放用スイッチＰＢＵの各引出し端子にそれぞれ接続されており、これによって、図４に示すように駆動制御回路７の端子Ｂ３と端子Ｂ２のあいだに接続され、開放用スイッチＰＢＵに対して並列接続されている。
【００１０】
ところで前記カウンタ装置１３は、カウンタ用回路部１４と表示部１５とで構成され、表示部１５は、蓋体６ａを開けたとき目視できるようスイッチボックス６内に配されている。
一方、カウンタ用回路部１４を構成する第一コンデンサＣ１と第一抵抗Ｒ１とは端子Ｂ１と端子Ｂ２のあいだに直列接続され、交流電流が流れたときに高い抵抗値（インピーダンス）を有するようになっていて、これら第一コンデンサＣ１と第一抵抗Ｒ１とにより本発明の抵抗手段を構成している。そうして、開放用スイッチＰＢＵがスイッチ操作されず、かつ開放用スイッチＰＢＵに並列接続されている開放用リレーＲＹＵのａ接点が開成している状態において、カウンタ用回路部１４を経由することにより、モータ駆動回路部８から停止作動回路部９、開放作動回路部１０に至る回路が閉回路となって、カウンタ用回路部１４に電源供給がなされる（通電状態となる）ように設定されている。
この通電状態において、前記カウンタ用回路部１４の第一コンデンサＣ１および第一抵抗Ｒ１は前述したように高い抵抗値を有しているため、前記閉回路に通電される電流は微弱電流となっており、この微弱電流では開放用リレーＲＹＵが励磁されることはない設定となっている。これに対し、開放用スイッチＰＢＵをスイッチ操作した場合では、端子Ｂ２、３間は短絡状態となってカウンタ用回路部１４側への通電がなくなると共に、開放用リレーＲＹＵの励磁がなされて開放作動回路部１０が自己保持され、開閉機３の開放作動が行われるように設定されている。
ここで、閉鎖用スイッチＰＢＤがスイッチ操作された場合について説明すると、閉鎖用スイッチＰＢＤのスイッチ操作に伴い閉鎖用リレーＲＹＤが励磁し、これによってモータ駆動回路部８の閉鎖用リレーＲＹＤのスイッチ接点が開成作動することになり、カウンタ用回路部１４への電源供給は断たれることになる。
【００１１】
さて、本実施の形態のカウンタ用回路部１４は次のように回路構成されている。１６はスイッチ回路部、１７は積算回路部、１８はデコーダ回路部、１９はドライバー回路部、２０は前記表示部１５を構成する液晶表示器であって、スイッチ回路部１６は、カウンタ用回路部１４に微弱電流の通電が断たれた立下がり信号の入力があったとき積算回路部１７に信号出力をし、これにより積算回路部１７は、登録されている数値データ（二進数）に「１」を加算して歩進させ、これを登録すると共に、登録している数値データをデコーダ回路部１８に出力するようになっている。デコーダ回路部１８は、積算回路部１７から出力された数値データが液晶表示器２０において適正なセグメント表示となるよう演算（デコード）し、この演算されたデータをドライバー回路部１９を介して液晶表示器２０に出力するように設定されている。
また、Ｃ２、Ｃ３はそれぞれ第二、第三コンデンサであって、これら第二、第三コンデンサＣ２、Ｃ３は、カウンタ用回路部１４に通電されることに基づいて蓄電されるもので、そのうちの第二コンデンサＣ２は、カウンタ用回路部１４への電源供給が断たれた場合のバックアップ電源用で、スイッチ回路部１６を介してデコーダ回路部１８、ドライバー回路部１９、そして液晶表示器２０に放電するまでの所要時間（例えば５秒間）のあいだ電源供給するためのものである。また第三コンデンサＣ３は、非通電状態になったときの積算回路部１７のバックアップ電源用のもので、蓄電容量の大きい大容量のもの（例えばスーパーキャパシター）になっていて、例えば上限用リミットスイッチＬＳＵが開成して電源供給が断たれる全開状態が長時間に及んでも積算用回路１７への電源供給をバックアップするためのもので、バックアップ時間が数十日に及ぶものを採用することがメンテナンスの点から好適である。
【００１２】
この様に構成されるものの作動について、図６のタイミングチャート図を用いて説明する。いま、シャッターカーテン１が全閉状態にあるとして、この状態では、前述したように開放用スイッチＰＢＵがＯＦＦかつ開放用リレーＲＹＵが非作動状態になる一方で、カウンタ用回路部１４には微弱電流が通電されることになって第二、第三コンデンサＣ２、Ｃ３は蓄電される。この状態から、開放用スイッチＰＢＵをＯＮ操作すると、開放用リレーＲＹＵが励磁されて該開放用回路部１０が自己保持され、開閉機３が開放作動を開始すると共に、カウンタ用回路部１４への通電が断たれ、これに基づきカウンタ用回路部１４は、シャッターカーテン１の開放作動をカウントアップすると共に、第二コンデンサＣ２によるバックアップ電源を受ける所要時間のあいだ液晶表示部２０での表示がなされることになる。
一方、シャッターカーテン１が全開状態で停止している状態では、開放作動回路部１０の上限用リミットスイッチＬＳＵは開成しておりカウンタ用回路部１４に電源供給されることはなく、この状態から閉鎖用スイッチＰＢＤがＯＮ操作した場合では、前述したようにモータ駆動回路部８の閉鎖用リレーＲＹＵのスイッチ接点が開成することによって、カウンタ用回路部１４に電源供給されることはない。
【００１３】
このように本実施の形態では、カウンタ用回路部１４への電源供給が断たれるときの立下がり信号の検知に基づいてカウントアップを行う設定になっており、これによって、カウンタ用回路部１４は、図６のタイミングチャート図に示されるように、中途開状態を含めた開放作動が開始される回数に加えて、閉鎖作動を中途停止させた後に再度閉鎖作動を開始したときをカウントすることになる。これに対し、電源供給が再開されるときの立上り信号の検知で行うようにすることもでき、この場合では、閉鎖作動をして全閉状態または停止用スイッチのスイッチ操作に基づいて停止したときに加え、中途開状態での途中停止させるべく停止用スイッチＰＢＳをスイッチ操作したときをカウントすることになる。
そして何れにしろ、このような中途停止操作は通常あまり頻繁に行うものではないうえ、中途停止操作によって多少ともカウント値が多く積算されたとして、それは開閉作動回数に対応したメンテナンスを早めることに寄与こそすれ、遅らさせることにはならないためメンテナンス上は何ら問題にならず、むしろ好ましい方向のものであるといえる。
因みに、表示部１５は、本実施の形態では液晶表示のものが用いられているが、発光ダイオード（ＬＥＤ）等、種々の表示手段を用いることができる。
さらには、本実施の形態のカウンタ用回路部１４は、端子Ｂ３と端子Ｂ２とのあいだに接続されているが、図７に示す第二の実施の形態のように、端子Ｂ１とＢ２とのあいだに接続してもよく、このようにした場合では、カウンタ装置１３は開放用スイッチＰＢＵと停止用スイッチＰＢＳとに対して並列接続する状態で接続され、前記第一の実施の形態と同様のカウントを行うことになるが、前記実施の形態の場合では停止用スイッチＰＢＳに基づくカウンタ用回路部１４への通電は僅かなタイムラグＴ（停止用スイッチＰＢＳが押し操作された後に自動復帰するまでの時間に相当する）の後に通電が開始されるのに対し、この場合では停止用スイッチＰＢＳが操作されると略同時にカウンタ用回路部１４に通電するように設定される。
また、カウンタ用回路１４は、閉鎖作動回路部１１側の端子Ｂ３とＢ４のあいだまたはＢ１とＢ４のあいだに接続することでも実施でき、前記第一の実施の形態でのカウンタ用回路部１４への通電が中途停止状態または全閉での停止状態においてなされるのに対し、この場合での通電は、中途停止状態または全開での停止状態においてなされることになり、これら通電状態になることの立下がり信号、立上り信号をカウントすることで実施できることはいうまでもない。
【００１４】
叙述の如く構成された本発明の実施の形態において、シャッターカーテン１のメンテナンスの目安を、シャッターカーテン１の開閉回数に基づいて行う場合に、シャッターカーテン１の開閉回数の表示は、スイッチボックス６内に設けられた表示部１５によりなされることになって、躯体上部に上がらなくても開閉回数の確認ができることになるが、この場合に、カウンタ装置１３は、カウンタ用回路１４と表示部１５との両方がスイッチボックス６内に配線されているので、制御盤１２と操作スイッチ部５とのあいだは、従来のカウンタ自体を制御回路部側に接続し、表示部のみを操作スイッチ部に設けるもののように特殊な五芯構造の配線コードを用いる必要がなく、汎用性が高く、従来から採用されている四芯構造の配線コードをそのまま用いることができる。しかも、工場組付けしたカウンタ装置付のスイッチボックスを現場に搬入し、そして現場では、従来と同じ配線でよいことになって現場作業に負担を強いることがなく作業性にを向上できるうえ、コスト低下を果たすことができる。
【００１５】
さらにこのものでは、カウンタ装置１３は、蓋体６ａの設けられたスイッチボックス６内に設けられることになるため、蓋体を開けなければ表示自体も露出することがなく、悪戯や破損の惧れを低減させることができる。
【００１６】
しかも、このものの表示部１５は小型の液晶表示を採用しているため、カウンタ装置を設けていない従来のスイッチボックス６であっても、カウンタ装置１３をレイアウトすることができる。そのうえ、表示部１５での表示時間が短いため、カウンタ装置１３の保護も計れて耐久時間の長いものにできる。
【００１７】
尚、本発明は前記実施の形態に限定されることは勿論なく、カウンタ装置をカウンタ本体と表示部とを操作スイッチ部に電気的に接続するようにしたものであればよく、表示手段による表示は、前述したように所定時間のあいだだけの表示とすることもできるが、カウンタ装置に電源供給がなされているあいだは連続的に表示する構成としてもよい。
さらに、図８に示す第三の実施の形態のようにすることもできる。ここで、図面において、第一の実施の形態と共通するもの（同一のもの）については、同一の符号を付して引出すと共にその詳細については省略する。尚、図１については第一の実施の形態のものを共用できる。第三の実施の形態のものも、カウンタ装置２１を構成するカウンタ用回路部２２と表示部２３とが共にスイッチボックス６内に収納される配線となっているが、このものでは、カウンタ用回路部２２は、端子Ｂ１と停止用スイッチＰＢＳとのあいだ、つまりリード線Ａに変流器２４を介して引出されるように設定されている。つまり、カウンタ用回路部２２は、変流器２４を介して引出された電流が入力される整流用ブリッジ回路部２５、該整流用ブリッジ回路部２５に接続する電源回路部２６、該電源回路部２６からの出力に基づいてカウントする積算回路部２７が順次接続されており、さらに、カウンタ用回路部２２への通電が断たれた場合にそれまでに積算されたカウント値をメモリする不揮発性のメモリ回路部（該回路部は不揮発性であるため第一の実施の形態のもののようにバックアップ電源を必要としないため第三コンデンサ  は不要となる）２８、表示用のデコーダ回路部２９、ドライバー回路部３０が接続されている。そして、カウンタ用回路部２２は、電源供給がなされる、つまり、開放作動、閉鎖作動の何れかがある毎に、これを一回の開閉回数としてカウントし、これを表示部２３で表示するように設定されている。
さらに、この場合に、表示部２３の表示時間は、カウンタ用回路部２２に電源供給されているあいだ、つまり、開閉何れかの作動がなされているあいだ表示される設定となるが、これよりも短い表示時間に設定することもでき、その場合では、例えばドライバー回路部３０にタイマ付のものを採用することで実施できる。
さらに図９に示す第四の実施の形態のようにすることもできる。このものは、前記第三の実施の形態で用いた変流器のかわりに低抵抗値の抵抗Ｒを用いてリード線Ａから引出した電流に、前記第三の実施の形態と同様のカウンタ用回路部３１を接続して構成されており、このような構成とすることでもカウンタ装置をスイッチ部において接続することができる。
【図面の簡単な説明】
【図１】シャッター装置の全体正面図である。
【図２】スイッチ部の正面図である。
【図３】制御盤とスイッチ部との接続状態を示す説明図である。
【図４】開閉機の駆動制御回路図である。
【図５】カウンタ装置の回路図である。
【図６】カウンタ装置のカウントのタイミングを示すタイミングチャート図である。
【図７】第二の実施の形態における開閉機の駆動制御回路図である。
【図８】第三の実施の形態におけるカウンタ装置の回路図である。
【図９】第四の実施の形態におけるカウンタ装置の回路図である。
【符号の説明】
１    シャッターカーテン
２    巻取り軸
３    開閉機
５    操作スイッチ
６    スイッチボックス
６ａ    蓋体
７    駆動制御回路
１３    カウンタ装置
１４    カウンタ用回路部
１５    表示部
１６    スイッチ回路部
１７    積算回路部
２０    液晶表示器
【図１】
0003803838.tif 000002
【図２】
0003803838.tif 000003
【図３】
0003803838.tif 000004
【図４】
0003803838.tif 000005
【図５】
0003803838.tif 000006
【図６】
0003803838.tif 000007
【図７】
0003803838.tif 000008
【図８】
0003803838.tif 000009
【図９】
0003803838.tif 000010